【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
データ処理装置であって、
前記データ処理装置内の結露の除去を実行する指示をユーザから受け付ける受付手段と、
結露の除去を実行するために必要な条件が満たされているかを判断する判断手段と、
前記条件が満たされていると前記判断手段で判断した場合、前記受付手段により受け付ける指示に従って、トナーを使って前記データ処理装置内の結露を除去する結露除去手段を有することを特徴とするデータ処理装置。
【請求項２】
前記受付手段は、前記条件が満たされていると前記判断手段で判断した場合、前記指示を受け付け可能にすることを特徴とする請求項１に記載のデータ処理装置。
【請求項３】
前記条件とは実行中のジョブがないこと、であることを特徴とする請求項１または２に記載のデータ処理装置。
【請求項４】
前記結露除去手段は、トナーを感光ドラムに付着させることによって前記感光ドラム上に発生した結露を吸着することを特徴とする請求項１乃至３のいずれか１項に記載のデータ処理装置。
【請求項５】
前記条件とは一定量のトナーが残っていること、であることを特徴とする請求項４に記載のデータ処理装置。
【請求項６】
結露を吸着するために使われたトナーを蓄積する、前記データ処理装置から取り出し可能な蓄積手段をさらに有し、
前記条件とは前記蓄積手段が前記データ処理装置にあること、であることを特徴とする請求項４に記載のデータ処理装置。
【請求項７】
前記受付手段は、結露の除去の実行を指示するためのボタンを表示し、
前記条件が満たされていると前記判断手段で判断した場合は、前記受付手段は、前記ボタンを押下できることをユーザが認識できるように前記ボタンを表示し、
前記条件が満たされていないと前記判断手段で判断した場合は、前記受付手段は、前記ボタンを押下できないことをユーザが認識できるように前記ボタンを表示することを特徴とする請求項１乃至６のいずれか１項に記載のデータ処理装置。
【請求項８】
データ処理装置であって、
記録紙に印刷をする印刷手段と、
トナーを使って結露の除去を実行するよう前記印刷手段に指示する第１の指示手段と、
記録紙への印刷をするよう前記印刷手段に指示する第２の指示手段と、を有し、
前記印刷手段は、結露の除去を実行するよう指示された後であって、結露の除去を完了する前に、記録紙への印刷をするよう指示された場合には、記録紙への印刷を開始しないようにすることを特徴とするデータ処理装置。
【請求項９】
前記印刷手段は、結露の除去を実行するよう指示された後であって、結露の除去を完了する前に、記録紙への印刷をするよう指示された場合には、記録紙への印刷を開始できないことを示す情報を前記第２の指示手段に送信し、
前記印刷手段は、結露の除去を完了した場合には、結露の除去を完了したことを示す情報を前記第２の指示手段に送信し、
前記第２の指示手段は、録紙への印刷を開始できないことを示す情報を受信した場合には、結露の除去の完了を示す情報を受信した後に、再度、記録紙への印刷をするよう前記印刷手段に指示することを特徴とする請求項８に記載のデータ処理装置。
【請求項１０】
データ処理装置で実行される結露除去方法であって、
前記データ処理装置内の結露の除去を実行する指示をユーザから受け付ける受付ステップと、
結露の除去を実行するために必要な条件が満たされているかを判断する判断ステップと、
前記条件が満たされていると判断した場合、前記指示に従って、トナーを使って前記データ処理装置内の結露を除去する結露除去ステップを有することを特徴とする結露除去方法。
【請求項１１】
記録紙に印刷をする印刷手段を有するデータ処理装置で実行される結露除去方法であって、
トナーを使って結露の除去を実行するよう前記印刷手段に指示する第１の指示ステップと、
記録紙への印刷をするよう前記印刷手段に指示する第２の指示ステップと、を有し、
前記印刷手段は、結露の除去を実行するよう指示された後であって、結露の除去を完了する前に、記録紙への印刷をするよう指示された場合には、記録紙への印刷を開始しないようにすることを特徴とする結露除去方法。
【請求項１２】
請求項１０または１１に記載の結露除去方法をコンピュータに実行させる、前記コンピュータにより読み取り可能なプログラム。
【請求項１３】
データ処理装置であって、
トナーを使って前記データ処理装置内の結露を除去する結露除去手段と、
前記結露除去手段が結露の除去に使用するトナー量をユーザの指示に基づいて設定する設定手段と、を有し、
前記結露除去手段は、前記設定手段によって設定されたトナー量のトナーを使って前記データ処理装置内の結露を除去する、ことを特徴とするデータ処理装置。
【請求項１４】
前記結露除去手段が結露の除去に使用するトナー量を入力するための画面を表示する表示手段をさらに有し、
前記設定手段は、前記画面で入力された前記トナー量を、前記結露除去手が結露の除去に使用するトナー量として設定する、ことを特徴とする請求項１３に記載のデータ処理装置。
【請求項１５】
結露を吸着するために使われたトナーを蓄積する、前記データ処理装置から取り出し可能な蓄積手段をさらに有する、ことを特徴とする請求項１３又は１４に記載のデータ処理装置。
【請求項１６】
トナーを使って記録紙に印刷をする印刷手段をさらに有する、ことを特徴とする請求項１３乃至１５の何れか１項に記載のデータ処理装置。
【請求項１７】
前記結露除去手段は、トナーを感光ドラムに付着させることによって前記感光ドラム上に発生した結露を吸着することを特徴とする請求項１３乃至１６のいずれか１項に記載のデータ処理装置。
【請求項１８】
前記結露除去手段によってトナーが付着された前記感光ドラム上には、記録紙が搬送されない、ことを特徴とする請求項１７に記載のデータ処理装置。
【請求項１９】
データ処理装置で実行される結露除去方法であって、
前記データ処理装置内の結露を除去する結露除去手段が結露の除去に使用するトナー量をユーザから受け付ける受付ステップと、
前記受付ステップで受け付けたトナー量のトナーを使って前記データ処理装置内の結露を除去する結露除去ステップと、を有することを特徴とする結露除去方法。
【請求項２０】
請求項１９に記載の結露除去方法をコンピュータに実行させる、前記コンピュータにより読み取り可能なプログラム。
【手続補正２】
【補正対象書類名】明細書
【補正対象項目名】０００５
【補正方法】変更
【補正の内容】
【０００５】
本発明に係るデータ処理装置は、前記データ処理装置内の結露の除去を実行する指示をユーザから受け付ける受付手段と、結露の除去を実行するために必要な条件が満たされているかを判断する判断手段と、前記条件が満たされていると前記判断手段で判断した場合、前記受付手段により受け付ける指示に従って、トナーを使って前記データ処理装置内の結露を除去する結露除去手段を有することを特徴とする。
【手続補正３】
【補正対象書類名】明細書
【補正対象項目名】０００６
【補正方法】変更
【補正の内容】
【０００６】
また、本発明に係るデータ処理装置は、記録紙に印刷をする印刷手段と、トナーを使って結露の除去を実行するよう前記印刷手段に指示する第１の指示手段と、記録紙への印刷をするよう前記印刷手段に指示する第２の指示手段と、を有し、前記印刷手段は、結露の除去を実行するよう指示された後であって、結露の除去を完了する前に、記録紙への印刷をするよう指示された場合には、記録紙への印刷を開始しないようにすることを特徴とする。
【手続補正４】
【補正対象書類名】明細書
【補正対象項目名】０００７
【補正方法】変更
【補正の内容】
【０００７】
また、本発明に係る結露除去方法は、データ処理装置で実行される結露除去方法であって、前記データ処理装置内の結露の除去を実行する指示をユーザから受け付ける受付ステップと、結露の除去を実行するために必要な条件が満たされているかを判断する判断ステップと、前記条件が満たされていると判断した場合、前記指示に従って、トナーを使って前記データ処理装置内の結露を除去する結露除去ステップを有することを特徴とする。
【手続補正５】
【補正対象書類名】明細書
【補正対象項目名】０００８
【補正方法】変更
【補正の内容】
【０００８】
また、本発明に係る結露除去方法は、記録紙に印刷をする印刷手段を有するデータ処理装置で実行される結露除去方法であって、トナーを使って結露の除去を実行するよう前記印刷手段に指示する第１の指示ステップと、記録紙への印刷をするよう前記印刷手段に指示する第２の指示ステップと、を有し、前記印刷手段は、結露の除去を実行するよう指示された後であって、結露の除去を完了する前に、記録紙への印刷をするよう指示された場合には、記録紙への印刷を開始しないようにすることを特徴とする。